(57)【特許請求の範囲】
【請求項１】
ステージ上に載置された標本に対して照明光をコンデンサレンズにより集光して照明し、前記標本を対物レンズを通して拡大する顕微鏡において、
前記対物レンズを支持する顕微鏡の本体と、
前記顕微鏡の本体の下部に設けられたベースと、
前記ステージの下方に配置される前記コンデンサレンズに対して当該コンデンサレンズを通る光束を通すように前記コンデンサレンズを通る光束の大きさに相当する開口部が形成され、前記顕微鏡の本体に取り付けるシートと、
を備え、
前記シートは、前記開口部が前記コンデンサレンズのレンズ筒の外径に押し込まれると共に、前記レンズ筒の外径の隙間がなくなるように固定部材によりはめ込み、かつ当該シートの端部を固定手段により前記顕微鏡の本体に取り付けて前記ベース全体を覆う、
ことを特徴とする顕微鏡。
【請求項２】
前記固定手段は、前記標本より高い位置で前記シートを前記顕微鏡の本体に固定することを特徴とする請求項１記載の顕微鏡。
【請求項３】
前記コンデンサレンズは、コンデンサ受けにより支持され、
前記シートは、前記コンデンサ受けと前記ベースを介して前記ステージを設けるステージ支柱との上から前記ステージを挟みこんで固定され、前記ステージ支柱を介して前記ステージが設けられたベース全体を覆う、
ことを特徴とする請求項１又は２記載の顕微鏡。
【請求項４】
ステージ上に載置された標本に対して照明光をコンデンサレンズにより集光して照明し、前記標本を対物レンズを通して拡大する顕微鏡において、
前記対物レンズを支持する顕微鏡の本体と、
前記顕微鏡の本体の下部に設けられたベースと、
前記ステージの下方に配置される前記対物レンズに対して当該対物レンズを通る光束を通すように前記対物レンズを通る光束の大きさに相当する開口部が形成され、前記顕微鏡の本体に取り付けるシートと、
を備え、
前記シートは、前記開口部が前記対物レンズのレンズ筒の外径に押し込まれると共に、前記レンズ筒の外径の隙間がなくなるように固定部材によりはめ込み、かつ当該シートの端部を固定手段により前記顕微鏡の本体に取り付けて前記ベース全体を覆う、
ことを特徴とする顕微鏡。
【請求項５】
前記固定手段は、裏側に接着剤の付いた被磁性部材であって、前記シートを挟みながら磁性部材を吸着させて、前記シートの隅を前記顕微鏡の本体に固定することを特徴とする請求項１、２又は４記載の顕微鏡。
【請求項６】
前記シートは、光透過性の材質により形成されたことを特徴とする請求項１又は４記載の顕微鏡。
【発明の詳細な説明】
【０００１】
【発明の属する技術分野】
本発明は、例えば培養液などの液中に入った標本を検鏡する顕微鏡に関する。
【０００２】
【従来の技術】
従来から、生きたままの細胞などの標本を顕微鏡観察する場合は、固定されたステージ上に培養液が満たされた容器を載置し、その容器中の細胞に対して対物レンズを上下させてピントを合わせて検鏡する方法がとられている。このとき、ステージを上下させてピントを合わせようとすると、ステージ上の容器やその中の細胞が振動して検鏡したい位置がずれてしまうので、ステージが固定された倒立型顕微鏡や、ステージが固定されていて対物レンズを上下させるタイプの正立型顕微鏡が用いられる。
【０００３】
容器内の培養液は、細胞の鮮度を保つためにポンプなどを用いて環流されており、容器から誤って溢れてしまうことがしばしば発生する。この際、容器をひっくり返して培養液をステージ上やその下にこぼしてしまうこともある。培養液は生理食塩水のため、このような事態が起こると、顕微鏡の機構部に液が滲入し、顕微鏡の機能を損なうようなダメージを与えてしまうこともある。
【０００４】
このような事態をなくすために、実開昭６０−５６０１７号公報に記載された技術には、倒立型顕微鏡のステージ下を覆う防水カバーが開示されている。例えば、図５はかかる防水カバーの外観を示す斜視図である。防水カバー１は、水平部２と傾斜部３とから形成されており、図示しないレボルバの外周部に着脱自在に嵌着される穴４と、傾斜部３の最も下側部分に設けられた汚水溜まり部５と、外縁部において該穴４の縁部に沿って設けられた流れ防止壁６とを有しており、ステージの下方を覆う物である。
【０００５】
又、実用新案登録第２５６５５１３号公報には、上記実開昭６０−５６０１７号公報の不具合を改善した倒立型顕微鏡の技術が記載されている。図６はその構造を示す図である。この顕微鏡は、顕微鏡本体１０の上部にステージ１１を設け、このステージ１１上に標本の入った培養液容器１３が載置されている。ステージ１１の下方には、対物レンズ１４の取り付けられたレボルバ１５が上下動部１６に設けられている。光学系としては、対物レンズ１４から各プリズム１７，１８、接眼レンズ１９が設けられている。
【０００６】
又、上下動部１６の最下部には、漏水受け部２０が設けられ、その下方には排水受け２１が設けられている。
【０００７】
培養液容器１３から漏れた液は、ステージ１１中央の光束の通るための穴を通ってステージ１１下へ落ち、レボルバ１５から上下動部１６を伝わってさらに下へ流れる。本体１０の上面部１０ａには上下動部１６が貫通する穴が設けられており、培養液はこの穴と上下動部１６との隙間を通って下に流れるが、上下動部１６の最下部には漏水受け部２０が設けられているので、そこから下にあるプリズム１７，１８や、その他の機構部まで到達することはない。培養液は、漏水受け部２０に設けられた排水開口部より下へ落ちるが、この排水開口部真下には排水受け２１があるので、漏れた培養液は最終的に排水受け部２１から本体１０の外へと導かれ、光学系や機構部品が培養液で侵されることはない。
【０００８】
【発明が解決しようとする課題】
しかしながら、上記実開昭６０−５６０１７号公報に記載された技術では、防水効果を上げるためにカバーを大きくすると顕微鏡自体の操作性を損ない、また穴とレボルバ外周部との隙間からわずかに培養液が滲入してしまうという欠点がある。
【０００９】
一方、上記実用新案登録第２５６５５１３号公報に記載の技術では、操作性を損なうことはなく、上下動部１６から下に培養液が入っても、その下の光学系、機構部品に培養液がかかることはないが、還流ポンプのトラブルなどで培養液が一度に大量に溢れた場合、本体１０内部に培養液が一気に流れ込んで、漏水受け部２０から溢れてしまうこともありうる。そうなると本体１０内部の光学系、機構部は培養液に晒され、甚大な被害を受けることになる。
【００１０】
また、この実用新案登録第２５６５５１３号公報に記載の技術では、顕微鏡本体１０内部に複雑な部品や、形状を有することになるので、顕微鏡そのもののコストがアップしてしまう問題点がある。この技術を正立型顕微鏡に当てはめた場合、培養液に侵されると機能的に影響を受けやすい光学系や機構部品が、倒立型に比べそれぞれが離れた位置関係にあるため、すべてにこのような構造を設けると、さらに複雑な構造となり、コストも大きくアップしてしまう。
【００１１】
そこで本発明は、倒立型顕微鏡だけでなく正立型顕微鏡の操作性を損なうことなく、優れた防水性を有する安価な顕微鏡を提供することを目的とする。
【００１２】
【課題を解決するための手段】
本発明は、ステージ上に載置された標本に対して照明光をコンデンサレンズにより集光して照明し、前記標本を対物レンズを通して拡大する顕微鏡において、前記対物レンズを支持する顕微鏡の本体と、前記顕微鏡の本体の下部に設けられたベースと、前記ステージの下方に配置される前記コンデンサレンズに対して当該コンデンサレンズを通る光束を通すように前記コンデンサレンズを通る光束の大きさに相当する開口部が形成され、前記顕微鏡の本体に取り付けるシートとを備え、前記シートは、前記開口部が前記コンデンサレンズのレンズ筒の外径に押し込まれると共に、前記レンズ筒の外径の隙間がなくなるように固定部材によりはめ込み、かつ当該シートの端部を固定手段により前記顕微鏡の本体に取り付けて前記ベース全体を覆うことを特徴とする顕微鏡である。
【００１３】
本発明は、ステージ上に載置された標本に対して照明光をコンデンサレンズにより集光して照明し、前記標本を対物レンズを通して拡大する顕微鏡において、前記対物レンズを支持する顕微鏡の本体と、前記顕微鏡の本体の下部に設けられたベースと、前記ステージの下方に配置される前記対物レンズに対して当該対物レンズを通る光束を通すように前記対物レンズを通る光束の大きさに相当する開口部が形成され、前記顕微鏡の本体に取り付けるシートとを備え、前記シートは、前記開口部が前記対物レンズのレンズ筒の外径に押し込まれると共に、前記レンズ筒の外径の隙間がなくなるように固定部材によりはめ込み、かつ当該シートの端部を固定手段により前記顕微鏡の本体に取り付けて前記ベース全体を覆うことを特徴とする顕微鏡である。
【００１６】
【発明の実施の形態】
（１）以下、本発明の第１の実施の形態について図面を参照して説明する。
【００１７】
図１は正立型顕微鏡の側面図であり、図２はその正面図である。顕微鏡本体（以上、本体と省略する）２０下部のベース２１には、ランプハウス２２が設けられ、このランプハウス２２から出力された照明光が窓レンズ部２３から出射されるようになっている。
【００１８】
又、ベース２１には、ステージ支柱２４を介してステージ２５が設けられている。このステージ２５の下方には、コンデンサレンズ（以下、コンデンサと省略する）２６がコンデンサ受け２７により支持されている。
【００１９】
ステージ２５上には、培養液容器２８が載置されている。この培養液容器２８は、ステージ２５中央の光束が通るための穴の上に載置され、この穴より大きな外径を持っている。
【００２０】
一方、本体２０の上部には、対物レンズ２９を取り付けたレボアーム３０が設けられている。このレボアームは、焦準ガイド部３１に連結され、焦準ハンドル部３２を回転することによって図示しないラック、ピニオンギアを介して焦準ガイド部３１を上下させ、これに連結されたレボアーム３０、さらには対物レンズ２９を上下させるようになっている。又、本体２０上部には、アーム３３が設けられ、これに接眼レンズ３４が取り付けられている。
【００２１】
従って、かかる正立型顕微鏡は、ステージ２５の下方に培養液容器２８が配置され、かつこの培養液容器２８の上方に対物レンズ２９が配置されている。
【００２２】
上記培養液容器２８の中には生きた細胞などの標本３５が入れられ、培養液容器２８は培養液で満たされている。この培養液容器２８内には培養液を吸引、補充するために２本の環流用チューブ３６が入れられ、図示しない環流用ポンプに繋がれている。そして常に培養液容器２８内の培養液は循環し、新鮮な培養液が培養液容器２８内に満たされている。標本３５は、培養液中で固定されているわけではないので、通常の正立型顕微鏡のように、ピントを合わせるために焦準ガイド部３１とステージ２５を連結してステージ２５を上下する機構を用いた場合、わずかな振動で標本３５が動いてしまう。そのため上記の如く焦準ガイド部３１は対物レンズ２９を取り付けたレボアーム３０に連結され、焦準ハンドル部３２を回転すると、図示しないラック、ピニオンギヤを介して焦準ガイド部３２が上下し、連結されたレボアーム３０、さらには対物レンズ２９が上下し、標本３５にピントを合わせられるようになっている。
【００２３】
シート３７はポリエチレンなどの光透過性の透明な樹脂でできており、一辺が顕微鏡の前後長と同じくらいの正方形に形成され、中央コンデンサ２６のレンズ筒の外径よりやや小さめの穴３８が設けられている。
【００２４】
次に、シート３７の取り付けについて説明する。
【００２５】
顕微鏡にステージ２５を取り付ける前に、コンデンサ２６のレンズ筒外径にシート３７の穴３８を押し込む。図３はコンデンサ２６とシート３７の穴３８付近の拡大図である。レンズ筒２６ａの外径とシート３７の穴３８は、かかる穴３８を外径に押し込んでいるので、さほど大きな隙間はできず、レンズ筒２６ａの外径に沿うように密着している。さらにシート３７の穴３８とレンズ筒２６ａの外径の隙間がなくなるように巾の比較的広い固定部材としての輪ゴム３９をレンズ筒２６ａの外径にはめる。この輪ゴム３９はあらかじめシート３７の穴３８と接着されていれば、シート３７と輪ゴム３９を別々に装着しなくても、輪ゴム３９を広げてコンデンサ２６に装着すれば一回の手間で済む。
【００２６】
次にシート３７を装着したコンデンサ２６をコンデンサ受け２７に装着し、シート３７をコンデンサ２６の周りで若干たるませ、ベース２１全体にふわりと覆いかぶせる。そしてシート３７の上からステージ支柱２４とコンデンサ受け２７にステージ２５を載せ、シート３７を挟み込んで固定する。シート３７の後方二隅は培養液容器２８より高い位置で固定手段としての被磁性部材４０，磁性部材４１の間にシート３７を挟み込む形で固定する。本体２０は通常アルミニウム製のため、磁性部材４１を直接使うことはできないが、裏側に接着剤の付いた被磁性部材４０を本体２０の任意の位置に貼り付けることで、シート３７を挟みながら磁性部材４１を吸着させ、シート３７の隅を本体２０に固定する。
【００２７】
このようにすることで微妙にシート３７の位置を調整したり、シート３７を新しい物に交換するときも容易にできる。シート３７の前の二隅は、図２のように焦準ハンドル部３２を覆ったほどで自然に垂れ下がった状態にするか、大型のステージの場合には、ステージ下部に被磁性部材４０と磁性部材４１を用いて固定しておいても良い。シート３７の左右は、前側と同様、ベース２０の左右を覆うようにして自然に垂れ下がっている。
【００２８】
次に培養液がこぼれたときの作用について説明する。
【００２９】
ステージ２５上に培養液がこぼれたとき、流れとしてはステージ２５中央の穴から下部へ流れる経路と、ステージ２５の前後左右から流れ落ちる経路が考えられる。まずステージ２５中央の穴から流れ落ちた培養液はほぼすべてがコンデンサ２６にかかることになる。図３に示すようにコンデンサ２６の先玉と呼ばれる最上部のレンズ２６ｂはレンズ筒２６ａに接着されているため、レンズ筒２６ａとレンズ２６ｂの隙間からコンデンサ２６内部に培養液が侵入する可能性はない。レンズ筒２６ａの外径斜面を流れた培養液は通常ならさらにコンデンサ２６の外径を下に流れ、コンデンサ２６の下部の図示しない様々な隙間より内部に浸入し、絞りなどの可動部の機能に障害をきたすが、図のようにレンズ筒外径にはシート３７が穴を介してはめ込まれ、さらに輪ゴム３９によって隙間がなくなっているので、培養液は輪ゴム３９の外側からシート３７上へと導かれ、コンデンサ２６下部へ流れることはない。そしてコンデンサ２６周辺でシート３７をたるませた部分に溜まる。
【００３０】
ステージ２５の前後左右から外側に流れた培養液については、もしもステージ２５下側から回り込んでベース２１上に落ちてきたとしても、ベース２１はシート３７で覆われているため、やはりシート３７のたるみにたまるか、シート３７上を流れてベース２１の左右の外側へと流れ落ちることになる。
【００３１】
特にステージ２５後方に勢いよく培養液が溢れると、焦準ガイド部３１をつたわってガイド部、ラック、ピニオンギヤ部に侵入することも考えられるが、図のようにシート３７はステージ２５より高い位置で本体２０に固定されているので、培養液はシート３７に跳ね返されて、コンデンサ２６周りのシート３７のたるみに溜まるか、ベース２０の左右外側に流れ落ちる。溜まった培養液はスポイトなどで吸い取って処理すればシート３７を交換せずに引き続き使うことができ、若干の漏れならば、やはりシート３７に付いた培養液をふき取るだけで済む。検鏡側へは、ステージ支柱２７の上部でシート３７が固定された部分がコンデンサ２６周りのたるみより高い位置にあるため、培養液が流れてくることはなく、検鏡者が培養液で汚れることはない。
【００３２】
シート３７は透明で薄い樹脂のシートでできているため、シート３７で覆われた内部の操作部、たとえば焦準ハンドル部３２、窓レンズ部２３、コンデンサ２６などが見えなくなって操作しづらくなることがない。また操作部をシート３７が覆っていても、シート３７前部、左右部はシート３７が自然に垂れ下がっているだけなので、下側から手を挿入すれば操作性を損なうようなことはない。シート３７の材質は撥水性、透明度などの特性から、透明なポリエチレンなどが好適であるが、これらの樹脂シートにあらかじめ表面撥水加工を施したり、樹脂に抗菌剤を練り混んだりしておけば、さらに透明度が保たれ、また清潔に使えるのでシート３７が長持ちする。それでもシート３７が劣化してきた場合には、シート３７を取り外して廃棄し、新しいシート３７を容易に装着可能である。
【００３３】
このようにシート３７はいわば使い捨ての様な物なので、本体２０やステージ２５へのシート３７の固定法は被磁性部材４０と磁性部材４１を使った方法にとどまらず、接着テープや接着剤、クリップなど、様々な方法が考えられる。レンズ筒２６ａに装着した輪ゴム３９も特に輪ゴムでなくても、シート３７の穴と、コンデンサ２６外径の隙間をうめる方法は、様々な手段が考えられる。顕微鏡前部の焦準ハンドル部３２の操作性を高めるために、シート３７の前の二隅を角ではなくＲ５０〜Ｒ１００ほどの形状にすると、焦準ハンドル部３２を操作する手に余分なシートが垂れ下がらず、操作性はより向上する。
【００３４】
従って、上記第１の実施の形態によれば、正立型顕微鏡の操作性を損なうことなく、安価で優れた防水性を有することができる。
【００３５】
（２）次に本発明の第２の実施形態について図面を参照して説明する。
【００３６】
図４は倒立型顕微鏡の構成図である。顕微鏡の本体５０の上部には、ステージ５１が設けられ、このステージ５１上に培養液容器２８が載置されている。
【００３７】
本体５０には、ランプ支柱５２によりランプハウス５３が支持されている。このランプハウス５３から出力された照明光は、窓レンズ部５４を通して培養液容器２８内の標本に照射されるようになっている。又本体５０には、上下動台５５が設けられ、この上下動台５５の上部に対物レンズ５６が取り付けられたレボルバ５７がステージ５１の下方になるように設けられている。
【００３８】
これら対物レンズ５６、レボルバ５７の設けられた上下動台５５は、焦準ハンドル部５８の回転により、図示しないラック、ピニオンギヤなどを介して上下動し、標本に対してピント合わせするようになっている。
【００３９】
又、照明光、標本からの物体光の光路上には、ミラー５９、レンズ６０、ビームスプリッタ６１、ミラー６２などの光学部品、接眼レンズ６３が配置されている。
【００４０】
シート６４は、この顕微鏡の大きさに合わせた正方形もしくは、シート６４の端面が焦準ハンドル部５８などを覆ったときに操作の妨げにならないような形状になっており、中央には上下動台５５の外形に合わせた形状の角穴６５が設けられている。シート６４はステージ５１をはずした状態で角穴６５を上下動台５５にはめ込むような状態で装着され、穴と上下動台５５の隙間をさらになくすよう、輪ゴム６６で固定される。本体５０に設けられたステージ５１の取付け部も含み、シート６４で本体５０を覆い、上下動台５５の周りでシート６４をたるませた状態で、必要な場所を被磁性部材６７、磁性部材６８を用いて本体５０に固定する。ステージ５１を固定するときはシート６４を挟み込むようにして本体５０に図示しないビスによって固定するが、シート６４を交換するときにステージ５１をはずすのが面倒な場合は、ステージ５１と本体５０が固定されている部分を逃がすようなシート６４の形状を作り、粘着テープなどでシート６４を部分的に本体５０に貼り付けるなどすれば、ステージ５１を本体５０に固定したまま防水性能が維持できる。
【００４１】
このような構成であれば、培養液がステージ５１下に流れた場合は、ほとんど上下動台５５が本体５０に出入りする穴と、上下動台５５との隙間へ向かって培養液が集まる。この中にひとたび培養液が侵入すると、本体５０の内部には、レンズ６０、ビームスプリッタ６１、ミラー６２などの光学部品や、図示しないラック、ピニオンギヤなどの機構部品が構成されているので、これらが錆びたりガラスが曇ったりカビに侵されたりする。
【００４２】
ところが本実施の形態によれば、環流用チューブ３６から勢い良く培養液が溢れたとしても、上下動台５５の輪ゴム６６の部分より下には培養液が流れず、培養液はシート６４に導かれて上下動台５５の周りのシート６４のたるみに溜まるか、本体６０の左右外側に流れることになる。なお、第１の実施の形態と同様、シート５５の固定には磁性部材６８、被磁性部材６７を必ずしも用いる必要はなく、粘着テープなどで留めたり、シート６４のしわや、傾きを調節して、一定の場所にシート６４上を流れた培養液が集まるようにすることも可能である。
【００４３】
従って、上記第２の実施の形態によれば、倒立型顕微鏡の操作性を損なうことなく、安価で優れた防水性を有することができる。
【００４４】
（３）次に、本発明の第３の実施の形態について説明する。
【００４５】
この第３の実施の形態は、上記図３を用いて説明する。上記第１の実施の形態と同様に、正立型顕微鏡のコンデンサ２６にシート３７が輪ゴム３９によって固定されている。シート３７は被磁性部材４０と磁性部材４１によってフレームに固定されており、その固定位置と、顕微鏡手前側のステージ支柱２４とステージ２５が固定されている部分でもシート３７は挟み込まれて固定されているので、この位置関係を調整してシート３７を任意にたるませ、図の様に、流れた培養液が集まるシート３７のくぼみ７０を形成することができる。このくぼみ７０の底の部分に穴をあけて排水チューブ２１を取り付けておけば、シート３７に培養液がこぼれたとき、顕微鏡の外側に培養液がこぼれ落ちるのではなく、培養液はくぼみ７０に集まり、排水チューブ７１を通って図示しない容器や、環流ポンプに戻すこともできる。
【００４６】
なお、本発明は、上記第１乃至第３の実施の形態に限定されるものでなく、実施段階ではその要旨を逸脱しない範囲で種々に変形することが可能である。
【００４７】
さらに、上記実施形態には、種々の段階の発明が含まれており、開示されている複数の構成要件における適宜な組み合わせにより種々の発明が抽出できる。例えば、実施形態に示されている全構成要件から幾つかの構成要件が削除されても、発明が解決しようとする課題の欄で述べた課題が解決でき、発明の効果の欄で述べられている効果が得られる場合には、この構成要件が削除された構成が発明として抽出できる。
【００４８】
例えば、上記第１乃至第３の実施の形態は、次の通り変形してもよい。
【００４９】
上記第１の実施の形態で示したステージ２５は顕微鏡に装備される前後左右に平行移動するタイプのステージであるが、近年顕微鏡とは別体に、顕微鏡の設置された防振台などの台に固定した、門型の固定ステージが用いられる場合がある。このようなステージの場合、ステージは１枚の金属板で十分な面積をもっているので、ステージの外側から培養液がこぼれて顕微鏡にかかる可能性は少ない。このような場合、コンデンサ２６に中心の穴で固定したシート３７の外周を、一部もしくは全部、このステージの下面に固定することもできる。ここでシート３７の一番低くなっている位置に上記第３の実施の形態のような排水チューブ７１を設けることもできるし、ステージ下面にシート３７の外周を固定することで、操作部に直接シート３７が覆い被さらないので、より操作性を損なわなくすることが可能である。
【００５０】
【発明の効果】
以上詳記したように本発明によれば、培養液が溢れたとしても、培養液はシートに導かれてシートのたるみに溜まるか、顕微鏡本体の左右外側に流れ、倒立型顕微鏡だけでなく正立型顕微鏡の操作性を損うことなく、優れた防水性を有する安価な顕微鏡を提供できる。
【図面の簡単な説明】
【図１】本発明に係わる正立型顕微鏡の第１の実施の形態を示す側面構成図。
【図２】本発明に係わる正立型顕微鏡の第１の実施の形態における正面構成図。
【図３】本発明に係わる正立型顕微鏡の第１の実施の形態におけるコンデンサ部分のカバーの取り付け図。
【図４】本発明に係わる倒立型顕微鏡の第２の実施の形態の構成図。
【図５】従来における顕微鏡の防水カバーを示す図。
【図６】従来における倒立型顕微鏡の構成図。
【符号の説明】
２０，５０：顕微鏡本体
２１：ベース
２２，５３：ランプハウス
２３，５４：窓レンズ部
２４：ステージ支柱
２５，５１：ステージ
２６：コンデンサ
２７：コンデンサ受け
２８：培養液容器
２９，５６：対物レンズ
３０：レボアーム
３１：焦準ガイド部
３２，５８：焦準ハンドル部
３３：アーム
３４，６３：接眼レンズ
３５：標本
３６：環流用チューブ
３７：シート
３８：穴
３９，６６：輪ゴム
４０，６７：被磁性部材
４１，６８：磁性部材
５５：上下動台
５７：レボルバ
５９：ミラー
６０：レンズ
６１：ビームスプリッタ
６２：ミラー
６４：シート
６５：角穴
【図１】
0004814418.tif 000002
【図２】
0004814418.tif 000003
【図３】
0004814418.tif 000004
【図４】
0004814418.tif 000005
【図５】
0004814418.tif 000006
【図６】
0004814418.tif 000007